(57)【要約】【課題】光束により被走査面上を安定して走査する。【解決手段】複数の面発光レーザを有する光源１４と、光源１４からの光束を偏向するポリゴンミラー１３と、光源１４とポリゴンミラー１３との間の光路上に配置され、光源１４からの光束をポリゴンミラー１３に導く第１の光学系と、ポリゴンミラー１３で偏向された光束を感光体ドラム９０１に導く第２の光学系と、各発光部から射出される光束の光量をモニタするモニタ装置とを備えている。そして、カップリングレンズ１５及びシリンドリカルレンズ１７の光軸は、副走査方向に関して、偏向反射面の法線方向に対して傾斜して配置する。これにより、光源から射出されポリゴンミラー１３で反射された光束が、光源側に戻ることを抑制することができる。【選択図】図８
2008185959.tif 000002
【特許請求の範囲】
【請求項１】
光束により被走査面上を走査する光走査装置であって、
複数の面発光レーザを有する光源と；
前記光源からの光束を偏向する偏向反射面を有する偏向器と；
前記光源と前記偏向器との間の前記光源からの光束の光路上に配置され、前記偏向器に向かう光束の少なくとも副走査方向のビーム径を規定する開口部を有する開口板を含み、前記光源からの光束を前記偏向器に導く第１の光学系と；
前記偏向器で偏向された光束を前記被走査面に導く第２の光学系と；
前記光源の面発光レーザから射出される光束の光量をモニタするモニタ装置と；を備え、
前記偏向器から前記第２の光学系に向かう光束は、副走査方向に関して、前記偏向反射面の法線方向に対して傾斜していることを特徴とする光走査装置。
【請求項２】
前記開口板は、前記光源から前記偏向器に向かう光束の進行方向に垂直な仮想面に対して傾斜して配置されていることを特徴とする請求項１に記載の光走査装置。
【請求項３】
前記開口板は、前記偏向器で反射され前記光源に向かう光束を遮光することを特徴とする請求項１又は２に記載の光走査装置。
【請求項４】
前記複数の面発光レーザは、２次元的に配列され、主走査方向に対応する方向に関して両端に位置する２つの面発光レーザの間隔が、副走査方向に対応する方向に関して両端に位置する２つの面発光レーザの間隔よりも大きいことを特徴とする請求項１〜３のいずれか一項に記載の光走査装置。
【請求項５】
前記第２の光学系は、前記偏向器の一側に配置された第１走査光学系と、前記偏向器の他側に配置された第２走査光学系とを含み、
前記偏向器から前記第１走査光学系に向かう光束及び前記偏向器から前記第２走査光学系に向かう光束は、副走査方向に関して、前記偏向反射面の法線方向に対して互いに反対側に傾斜していることを特徴とする請求項１〜４のいずれか一項に記載の光走査装置。
【請求項６】
前記第１走査光学系及び前記第２走査光学は、いずれも光束の光路を折り曲げる少なくとも１枚の反射鏡を含み、各走査光学系の反射鏡の枚数の差が偶数であることを特徴とする請求項５に記載の光走査装置。
【請求項７】
少なくとも１つの像担持体と；
前記少なくとも１つの像担持体に対して画像情報が含まれる光束を走査する少なくとも１つの請求項１〜６のいずれか一項に記載の光走査装置と；を備える画像形成装置。
【請求項８】
前記画像情報は、多色の画像情報であることを特徴とする請求項７に記載の画像形成装置。
【発明の詳細な説明】
【技術分野】
【０００１】
本発明は、光走査装置及び画像形成装置に係り、更に詳しくは、光束により被走査面上を走査する光走査装置及び該光走査装置を備える画像形成装置に関する。
【背景技術】
【０００２】
電子写真の画像記録では、レーザを用いた画像形成装置が広く用いられている。この場合、画像形成装置は光走査装置を備え、感光性を有するドラムの軸方向にポリゴンスキャナ（例えば、ポリゴンミラー）を用いてレーザ光を走査しつつ、ドラムを回転させ潜像を形成する方法が一般的である。このような電子写真の分野では、画像品質を向上させるために画像の高密度化、及び操作性を向上させるために画像出力の高速化が画像形成装置に求められている。
【０００３】
上記高密度化と高速化を両立させる方法の一つとして、ポリゴンスキャナを高速回転させることが考えられるが、この方法では、ポリゴンスキャナにおける騒音の増大、消費電力の増大、及び耐久性の低下を生じてしまう。
【０００４】
また、高密度化と高速化を両立させる他の方法として、光源から出射される光束のマルチビーム化がある。このマルチビーム化を実現させる方式としては、（１）端面発光レーザを複数個組み合わせる方式、（２）端面発光レーザの1次元アレイを用いる方式、（３）垂直共振器型の面発光レーザ（ＶＣＳＥＬ）の２次元アレイを用いる方式（例えば、特許文献１及び特許文献２参照）、が考えられる。
【０００５】
上記（１）の方式では、汎用のレーザを用いることができるため安価となるが、レーザとカップリングレンズとの間の相対的な位置関係を複数のビームで安定的に保つのが困難であり、被走査面上に形成される複数の走査線における互いに隣接する２つの走査線の間隔（以下では、便宜上「走査線間隔」と略述する）が不均一になるおそれがある。また、この（１）の方式では、実用上、光源の数に限界があり、高密度化及び高速化に限界がある。上記（２）の方式では、走査線間隔を均一にすることができるが、素子の消費電力が大きくなるという不都合がある。また、光源の数を極端に増やすと、光学系の光軸からのビームのずれ量が大きくなり、いわゆるビーム品質が劣化するおそれがある。
【０００６】
一方、上記（３）の方式では、消費電力が端面発光レーザに比べて一桁程度小さく、より多くの光源を容易に２次元的に集積することが可能である。
【０００７】
特許文献１には、独立して変調可能な複数の発光点を２次元的に配設した光源と、前記光源から射出した発散光束をカップリングするカップリングレンズと、からなる組みを複数組み合わせて構成した光源装置、該光源装置を搭載した光走査装置、該光走査装置を搭載した画像形成装置が開示されている。
【０００８】
特許文献２には、面発光型のレーザアレイを用いた光走査装置、及び該光走査装置を搭載した画像形成装置が開示されている。
【０００９】
【特許文献１】特開２００５−２５０３１９号公報
【特許文献２】特開２００４−２８７２９２号公報
【発明の開示】
【発明が解決しようとする課題】
【００１０】
ところで、通常、光走査装置では、温度変動や経時変動に伴い、光量が変化し、画像上で濃度むらが発生するのを抑制するため、光源から射出される光束の光量をフォトダイオード等のディテクタでモニタし、その結果に基づいて、出力レベルを制御するＡＰＣ（Ａｕｔｏ  Ｐｏｗｅｒ  Ｃｏｎｔｏｒｏｌ）を実施している。この場合、端面発光レーザでは、光束が前後２方向へ射出されるため、前方へ射出される光束を走査用とし、後方へ射出される光束をモニタ用とすれば、走査用の光束が光源に戻ってきてもモニタ結果への影響は少ない。しかしながら、面発光レーザでは、光束が一方向しか射出されないため、射出された光束を分割あるいは分岐して一方を走査用とし、他方をモニタ用とする必要がある。このときには、光源への戻り光束がモニタ結果に影響を及ぼすおそれがあった。
【００１１】
本発明は、かかる事情の下になされたもので、その第１の目的は、光束により被走査面上を安定して走査することができる光走査装置を提供することにある。
【００１２】
また、本発明の第２の目的は、高品質の画像を高速で形成することができる画像形成装置を提供することにある。
【課題を解決するための手段】
【００１３】
本発明は、第１の観点からすると、光束により被走査面上を走査する光走査装置であって、複数の面発光レーザを有する光源と；前記光源からの光束を偏向する偏向反射面を有する偏向器と；前記光源と前記偏向器との間の前記光源からの光束の光路上に配置され、前記偏向器に向かう光束の少なくとも副走査方向のビーム径を規定する開口部を有する開口板を含み、前記光源からの光束を前記偏向器に導く第１の光学系と；前記偏向器で偏向された光束を前記被走査面に導く第２の光学系と；前記光源の面発光レーザから射出される光束の光量をモニタするモニタ光学系と；を備え、前記偏向器から前記第２の光学系に向かう光束は、副走査方向に関して、前記偏向反射面の法線方向に対して傾斜していることを特徴とする光走査装置である。
【００１４】
なお、本明細書では、副走査方向に関して、偏向器に入射する光の偏向反射面の法線方向に対する傾斜の大きさが同じであっても、法線方向に対する傾斜方向が異なる場合は、異なる傾斜角であるものとする。
【００１５】
これによれば、偏向器から第２の光学系に向かう光束は、副走査方向に関して、偏向反射面の法線方向に対して傾斜している。この場合は、光源から射出され偏向反射面で反射された光束が、光源側に戻ることを防止でき、光源の面発光レーザから射出される光束の光量を精度良くモニタすることができる。その結果、光束により被走査面上を安定して走査することが可能となる。
【００１６】
本発明は、第２の観点からすると、少なくとも１つの像担持体と；前記少なくとも１つの像担持体に対して画像情報が含まれる光束を走査する少なくとも１つの本発明の光走査装置と；を備える画像形成装置である。
【００１７】
これによれば、少なくとも１つの本発明の光走査装置を備えているため、結果として、高品質の画像を高速で形成することが可能となる。
【発明を実施するための最良の形態】
【００１８】
以下、本発明の一実施形態を図１〜図１０に基づいて説明する。図１には、本発明の一実施形態に係るレーザプリンタ５００の概略構成が示されている。
【００１９】
図１に示されるレーザプリンタ５００は、光走査装置９００、感光体ドラム９０１、帯電チャージャ９０２、現像ローラ９０３、トナーカートリッジ９０４、クリーニングブレード９０５、給紙トレイ９０６、給紙コロ９０７、レジストローラ対９０８、転写チャージャ９１１、定着ローラ９０９、排紙ローラ９１２、及び排紙トレイ９１０などを備えている。
【００２０】
感光体ドラム９０１の表面には、感光層が形成されている。すなわち、感光体ドラム９０１の表面が被走査面である。ここでは、感光体ドラム９０１は、図１における矢印方向に回転するものとする。
【００２１】
帯電チャージャ９０２、現像ローラ９０３、転写チャージャ９１１及びクリーニングブレード９０５は、それぞれ感光体ドラム９０１の表面近傍に配置されている。そして、感光体ドラム９０１の回転方向に関して、帯電チャージャ９０２→現像ローラ９０３→転写チャージャ９１１→クリーニングブレード９０５の順に配置されている。
【００２２】
帯電チャージャ９０２は、感光体ドラム９０１の表面を均一に帯電させる。
【００２３】
光走査装置９００は、帯電チャージャ９０２で帯電された感光体ドラム９０１の表面に、上位装置（例えばパソコン）からの画像情報に基づいて変調された光を照射する。これにより、感光体ドラム９０１の表面では、光が照射された部分だけ電荷が消失し、画像情報に対応した潜像が感光体ドラム９０１の表面に形成される。ここで形成された潜像は、感光体ドラム９０１の回転に伴って現像ローラ９０３の方向に移動する。この光走査装置９００の構成については後述する。
【００２４】
トナーカートリッジ９０４にはトナーが格納されており、該トナーは現像ローラ９０３に供給される。このトナーカートリッジ９０４内のトナー量は、電源投入時や印刷終了時などにチェックされ、残量が少ないときには不図示の表示部にトナーカートリッジ９０４の交換を促すメッセージが表示される。
【００２５】
現像ローラ９０３は、回転に伴ってその表面にトナーカートリッジ９０４から供給されたトナーが帯電されて薄く均一に付着される。また、この現像ローラ９０３には、感光体ドラム９０１における帯電している部分（光が照射されなかった部分）と帯電していない部分（光が照射された部分）とで互いに逆方向の電界が生じるような電圧が印加されている。そして、この電圧によって、現像ローラ９０３の表面に付着しているトナーは、感光体ドラム９０１の表面の光が照射された部分にだけ付着する。すなわち、現像ローラ９０３は、感光体ドラム９０１の表面に形成された潜像にトナーを付着させて画像情報を顕像化させる。ここでトナーが付着された潜像（以下、便宜上「トナー像」という）は、感光体ドラム９０１の回転に伴って転写チャージャ９１１の方向に移動する。
【００２６】
給紙トレイ９０６には記録紙９１３が格納されている。この給紙トレイ９０６の近傍には給紙コロ９０７が配置されており、該給紙コロ９０７は、記録紙９１３を給紙トレイ９０６から１枚づつ取り出し、レジストローラ対９０８に搬送する。該レジストローラ対９０８は、転写ローラ９１１の近傍に配置され、給紙コロ９０７によって取り出された記録紙９１３を一旦保持するとともに、該記録紙９１３を感光体ドラム９０１の回転に合わせて感光体ドラム９０１と転写チャージャ９１１との間隙部に向けて送り出す。
【００２７】
転写チャージャ９１１には、感光体ドラム９０１の表面上のトナーを電気的に記録紙９１３に引きつけるために、トナーとは逆極性の電圧が印加されている。この電圧により、感光体ドラム９０１の表面のトナー像が記録紙９１３に転写される。ここで転写された記録紙９１３は、定着ローラ９０９に送られる。
【００２８】
この定着ローラ９０９では、熱と圧力とが記録紙９１３に加えられ、これによってトナーが記録紙９１３上に定着される。ここで定着された記録紙９１３は、排紙ローラ９１２を介して排紙トレイ９１０に送られ、排紙トレイ９１０上に順次スタックされる。
【００２９】
クリーニングブレード９０５は、感光体ドラム９０１の表面に残ったトナー（残留トナー）を除去する。なお、除去された残留トナーは、再度利用されるようになっている。残留トナーが除去された感光体ドラム９０１の表面は、再度帯電チャージャ９０２の位置に戻る。
【００３０】
次に、前記光走査装置９００の構成について説明する。
【００３１】
この光走査装置９００は、図２に示されるように、光源１４、カップリングレンズ１５、開口板１６、シリンドリカルレンズ１７、反射ミラー１８、ポリゴンミラー１３、該ポリゴンミラー１３を回転させる不図示のポリゴンモータ、偏向器側走査レンズ１１ａ、像面側走査レンズ１１ｂ、ハーフミラー２３、結像レンズ２４、及びフォトダイオード２５などを備えている。なお、本明細書では、主走査方向をＹ軸方向、副走査方向をＺ軸方向、これらに直交する方向をＸ軸方向として説明する。
【００３２】
前記光源１４は、図３に示されるように、一例として４０個の発光部１０１が１つの基板上に形成された２次元アレイ１００を有している。この２次元アレイ１００は、主走査方向に対応する方向（以下では、便宜上「Ｍ方向」ともいう）から副走査方向に対応する方向（以下では、便宜上「Ｓ方向」ともいう）に向かって傾斜角αをなす方向（以下では、便宜上「Ｔ方向」という）に沿って１０個の発光部が等間隔に配置された発光部列を４列有している。そして、これら４列の発光部列は、Ｓ方向に等間隔に配置されている。すなわち、４０個の発光部は、Ｔ方向とＳ方向とにそれぞれ沿って２次元的に配列されている。
【００３３】
そして、一例として、隣接する発光部列のＳ方向に関する間隔（図３における符号ｄ）は４４．０μｍ、各発光部列におけるＴ方向に関する発光部間隔（図３における符号Ｘ）は３０．０μｍ、各発光部をＳ方向に延びる仮想線上に正射影したときの発光部間隔（図３における符号ｃ）は４．４μｍである。なお、本明細書では、「発光部間隔」とは２つの発光部の中心間距離をいうものとする。
【００３４】
各発光部は、７８０ｎｍ帯のＶＣＳＥＬであり、一例として図４に示されるように、ｎ―ＧａＡｓ基板１１１上に、下部反射鏡１１２、スペーサー層１１３、活性層１１４、スペーサー層１１５、上部反射鏡１１７、及びｐコンタクト層１１８などの半導体層が、順次積層されている。なお、以下では、これら複数の半導体層が積層されているものを、便宜上「積層体」ともいう。また、活性層１１４近傍の拡大図が図５に示されている。
【００３５】
下部反射鏡１１２は、ｎ−Ａｌ０．９Ｇａ０．１Ａｓからなる低屈折率層（低屈折率層１１２ａとする）とｎ−Ａｌ０．３Ｇａ０．７Ａｓからなる高屈折率層（高屈折率層１１２ｂとする）とをペアとして、４０．５ペア有している。各屈折率層はいずれも、発振波長をλとするとλ／４の光学厚さとなるように設定されている。なお、低屈折率層１１２ａと高屈折率層１１２ｂとの間には、電気抵抗を低減するため、一方の組成から他方の組成へ向かって組成を徐々に変化させた組成傾斜層（図示省略）が設けられている。
【００３６】
スペーサー層１１３は、Ａｌ０．６Ｇａ０．４Ａｓからなる層である。
【００３７】
活性層１１４は、図５に示されるように、Ａｌ０．１２Ｇａ０．８８Ａｓからなる量子井戸層１１４ａとＡｌ０．３Ｇａ０．７Ａｓからなる障壁層１１４ｂを有している。
【００３８】
スペーサー層１１５は、Ａｌ０．６Ｇａ０．４Ａｓからなる層である。
【００３９】
スペーサー層１１３と活性層１１４とスペーサー層１１５とからなる部分は、共振器構造体とも呼ばれており、その厚さが１波長（ここでは、波長λ＝７８０ｎｍ）の光学厚さとなるように設定されている（図５参照）。
【００４０】
上部反射鏡１１７は、ｐ−Ａｌ０．９Ｇａ０．１Ａｓからなる低屈折率層（低屈折率層１１７ａとする）とｐ−Ａｌ０．３Ｇａ０．７Ａｓからなる高屈折率層（高屈折率層１１７ｂとする）とをペアとして、２４ペア有している。各屈折率層はいずれも、λ／４の光学厚さとなるように設定されている。なお、低屈折率層１１７ａと高屈折率層１１７ｂとの間には、電気抵抗を低減するため、一方の組成から他方の組成へ向かって組成を徐々に変化させた組成傾斜層（図示省略）が設けられている。
【００４１】
上部反射鏡１１７における共振器構造体からλ／４離れた位置には、ＡｌＡｓからなる被選択酸化層１１６が設けられている。
【００４２】
次に、上記２次元アレイ１００の製造方法について簡単に説明する。
【００４３】
（１）上記積層体を有機金属気相成長法（ＭＯＣＶＤ法）あるいは分子線結晶成長法（ＭＢＥ法）を用いた結晶成長によって作成する。
【００４４】
（２）それぞれが発光部となる複数の領域の各周囲にドライエッチング法により溝を形成し、いわゆるメサ部を形成する。ここでは、エッチング底面は下部反射鏡１１２中に達するように設定されている。なお、エッチング底面は少なくとも被選択酸化層１１６を超えたところにあれば良い。これにより、被選択酸化層１１６が溝の側壁に現れることとなる。また、メサ部の大きさ（直径）は、１０μｍ以上であることが好ましい。あまり小さいと素子動作時に熱がこもり、発光特性に悪影響を及ぼすおそれがあるからである。さらに、溝の幅は５μｍ以上であることが好ましい。溝の幅があまり狭いとエッチングの制御が難しくなるからである。
【００４５】
（３）溝が形成された積層体を水蒸気中で熱処理し、選択的にメサ部における被選択酸化層１１６の一部を酸化してＡｌｘＯｙの絶縁物層に変える。このとき、メサ部の中央部には、被選択酸化層１１６における酸化されていないＡｌＡｓ領域が残留する。これにより、発光部の駆動電流の経路をメサ部の中央部だけに制限する、いわゆる電流狭窄構造が形成される。
【００４６】
（４）各メサ部の上部電極１０３が形成される領域及び光出射部１０２を除いて、例えば厚さ１５０ｎｍのＳｉＯ２保護層１２０を設け、さらに各溝にポリイミド１１９を埋め込んで平坦化する。
【００４７】
（５）各メサ部におけるｐコンタクト層１１８上の光出射部１０２を除いた領域に上部電極１０３をそれぞれ形成し、積層体の周辺に各ボンディングパッド（不図示）を形成する。そして、各上部電極１０３とそれぞれに対応するボンディングパッドとを繋ぐ各配線（不図示）を形成する。
【００４８】
（６）積層体裏面に下部電極（ｎ側共通電極）１１０を形成する。
【００４９】
（７）積層体を複数のチップに切断する。
【００５０】
図２に戻り、カップリングレンズ１５は、光源１４から射出された光束の光路上に配置され、光源１４から射出された光束を略平行光とする。ここでは、カップリングレンズ１５は、一例として、光源１４からの光路長（図６における符号ｄ１）が３９．３０５ｍｍの位置に配置されている。そして、カップリングレンズ１５の厚さ（図６における符号ｄ２）は、一例として３．８ｍｍである。また、カップリングレンズ１５の焦点距離は、４２．０ｍｍである。
【００５１】
なお、光源１４とカップリングレンズ１５は、材質がアルミニウムの保持部材によって保持されている。そして、光源１４とカップリングレンズ１５の間には、屈折率１．５１１２、厚さ０．３ｍｍのカバーガラスが配置されている。
【００５２】
開口板１６は、カップリングレンズ１５とシリンドリカルレンズ１７との間の光路上に配置され、カップリングレンズ１５を介した光束の少なくとも副走査方向のビーム径を規定する開口部を有している。この開口板１６は、光源１４からポリゴンミラー１３に向かう光束の進行方向に垂直な仮想面に対して傾斜して配置されている。これにより、開口部の周囲で反射された光が光源１４側に戻るのを防止できる。また、開口板１６は、ポリゴンミラー１３で反射され光源側に向かう光束を遮光するように配置されている。
【００５３】
ハーフミラー２３は、開口板１６とシリンドリカルレンズ１７との間の光路上に配置され、開口板１６の開口部を通過した光束の一部を反射する。ハーフミラー２３における透過光と反射光の光量の比は、９：１、８：２及び７：３のいずれかに設定されている。
【００５４】
シリンドリカルレンズ１７は、ハーフミラー２３と反射ミラー１８との間の光路上に配置され、ハーフミラー２３を透過した光束を、反射ミラー１８を介してポリゴンミラー１３の偏向反射面近傍に副走査方向に関して結像する。ここでは、シリンドリカルレンズ１７は、一例として、カップリングレンズ１５の第２面からの光路長（図６における符号ｄ３）が７９．３ｍｍの位置に配置されている。また、シリンドリカルレンズ１７の厚さ（図６における符号ｄ４）は、一例として３．０ｍｍである。
【００５５】
さらに、シリンドリカルレンズ１７とポリゴンミラー１３との間、及びポリゴンミラー１３と偏向器側走査レンズ１１ａとの間には、肉厚１．９ｍｍ、屈折率１．５１１２の防音ガラス２１が配置されている（図２参照）。
【００５６】
ポリゴンミラー１３は、一例として内接円の半径が７ｍｍの４面鏡であり、各鏡がそれぞれ偏向反射面となる。このポリゴンミラー１３は、副走査方向に平行な回転軸の周りに等速回転する。ここでは、一例として、ポリゴンミラー１３は、シリンドリカルレンズ１７の第２面から回転軸までの光路長が５１．８ｍｍの位置に配置されている。
【００５７】
偏向器側走査レンズ１１ａは、ポリゴンミラー１３で偏向された光束の光路上に配置されている。ここでは、一例として、偏向器側走査レンズ１１ａは、ポリゴンミラー１３の回転軸から偏向器側走査レンズ１１ａの第１面までの光路長（図６における符号ｄ６）が４６．３ｍｍの位置に配置されている。そして、偏向器側走査レンズ１１ａの中心（光軸上）肉厚（図６における符号ｄ７）は、１３．５ｍｍである。
【００５８】
像面側走査レンズ１１ｂは、偏向器側走査レンズ１１ａを介した光束の光路上に配置されている。ここでは、一例として、像面側走査レンズ１１ｂは、偏向器側走査レンズ１１ａの第２面から像面側走査レンズ１１ｂの第１面までの光路長（図６における符号ｄ８）が８９．７ｍｍの位置に配置されている。そして、像面側走査レンズ１１ｂの中心（光軸上）肉厚（図６における符号ｄ９）は３．５ｍｍである。
【００５９】
そして、一例として、像面側走査レンズ１１ｂの第２面から感光体ドラム９０１までの光路長（図６における符号ｄ１０）が１４２．５ｍｍとなるように、光走査装置９００が配置されている。なお、像面側走査レンズ１１ｂと感光体ドラム９０１との間には、屈折率１．５１１２、肉厚１．９ｍｍの防塵ガラス２２（図２参照）が配置されている。
【００６０】
また、一例として図７に示されるように、カップリングレンズ１５及びシリンドリカルレンズ１７の光軸は、副走査方向に関して、ポリゴンミラー１３の偏向反射面の法線方向に対して傾斜して配置されている。これにより、一例として図８（Ａ）に示されるように、光源１４から射出された光束は、副走査方向に関して、偏向反射面の法線方向に対して傾斜して偏向反射面に入射する。この場合には、偏向反射面で反射された光束が、光源側に戻ることを抑制することができる。なお、図８（Ｂ）には、カップリングレンズ１５及びシリンドリカルレンズ１７の光軸が、偏向反射面の法線方向と一致して配置されている場合が示されている。この場合には、光源１４から射出された光束は、偏向反射面の法線方向に平行に入射し、偏向反射面で反射された光束が光源側に戻るおそれがある。
【００６１】
そして、一例として図９に示されるように、ポリゴンミラー１３から偏向器側走査レンズ１１ａに向かう光束は、副走査方向に関して、偏向反射面の法線方向に対して傾斜することとなる。
【００６２】
図２に戻り、結像レンズ２４は、ハーフミラー２３で反射された光束を集光する。そして、この集光位置近傍にフォトダイオード２５が配置されており、受光量に応じた信号（光電変換信号）を出力する。フォトダイオード２５の出力信号は、各発光部から射出される光束の光量をモニタするのに用いられ、そのモニタ結果に基づいて、各発光部の駆動電流が補正される。
【００６３】
以上の説明から明らかなように、本実施形態に係る光走査装置９００では、カップリングレンズ１５と開口板１６とシリンドリカルレンズ１７と反射ミラー１８とによって第１の光学系が構成されている。
【００６４】
また、偏向器側走査レンズ１１ａと像面側走査レンズ１１ｂとによって第２の光学系が構成されている。
【００６５】
また、ハーフミラー２３と結像レンズ２４とフォトダイオード２５とによってモニタ装置が構成されている。
【００６６】
以上説明したように、本実施形態に係る光走査装置９００によると、複数の面発光レーザを有する光源１４と、光源１４からの光束を偏向するポリゴンミラー１３と、光源１４とポリゴンミラー１３との間の光路上に配置され、光源１４からの光束をポリゴンミラー１３に導く第１の光学系と、ポリゴンミラー１３で偏向された光束を感光体ドラム９０１に導く第２の光学系と、各発光部から射出される光束の光量をモニタするモニタ装置とを備えている。そして、カップリングレンズ１５及びシリンドリカルレンズ１７の光軸は、副走査方向に関して、偏向反射面の法線方向に対して傾斜して配置されている。これにより、光源１４から射出された光束は、副走査方向に関して、偏向反射面の法線方向に対して傾斜して偏向反射面に入射するため、偏向反射面で反射された光束が、光源側に戻ることを抑制できる。従って、光源の各発光部から射出される光束の光量を精度良くモニタすることができ、その結果、光束により被走査面上を安定して走査することが可能となる。
【００６７】
また、本実施形態では、開口板１６は、光源１４からポリゴンミラー１３に向かう光束の進行方向に垂直な仮想面に対して傾斜して配置されているため、開口部の周囲で反射された光が光源１４側に戻るのを防止することできる。これにより、光源の各発光部から射出される光束の光量を更に精度良くモニタすることができる。
【００６８】
また、本実施形態では、開口板１６は、ポリゴンミラー１３で反射され光源側に向かう光束を遮光するため、ポリゴンミラー１３で反射された光束が、光源側に戻ることを更に防止することができる。また、発光部に光束が入射すると共振特性が変わり、出射光量そのものが変動するが、これも防ぐことができる。
【００６９】
また、本実施形態では、複数の発光部は２次元的に配列され、主走査方向に対応する方向に関して両端に位置する２つの発光部の間隔が、副走査方向に対応する方向に関して両端に位置する２つの発光部の間隔よりも大きい。これにより、逆の場合（例えば、図１０）に比べて、カップリングレンズ１５及びシリンドリカルレンズ１７の光軸の傾斜をある程度自由に設定することができる。
【００７０】
ところで、マルチビーム光源を用いて副走査方向の書込密度を大きくする方法には、（１）第１の光学系と第２の光学系とからなる光学系の副走査方向の横倍率を小さくする方法と、（２）副走査方向の発光部間隔（図３における符号ｃ）を小さくする方法とがある。しかしながら、（１）の方法では、被走査面上でのビーム径を規定する開口板において、開口部の副走査方向の幅を小さくする必要があり、光量不足となる。一方、（２）の方法では、発光部間の熱干渉の影響や、各発光部からの配線を通すために必要なスペースの確保が困難になる。
【００７１】
本実施形態では、複数の発光部は２次元的に配列され、主走査方向に対応する方向に関して両端に位置する２つの発光部の間隔が、副走査方向に対応する方向に関して両端に位置する２つの発光部の間隔よりも大きいため、各発光部間の熱干渉の影響低減や、各発光部の配線を通すために必要なスペースを確保しつつ、副走査方向の発光部間隔を小さくすることができる。
【００７２】
また、本実施形態に係るレーザプリンタ５００によると、光束により被走査面上を安定して走査することができる光走査装置９００を備えているため、結果として高品質の画像を高速で形成することが可能となる。
【００７３】
なお、上記実施形態では、２次元アレイ１００の各メサ部の形状が円形状の場合について説明したが、これに限らず、例えば楕円形状、正方形状、長方形状など任意の形状であっても良い。
【００７４】
また、上記実施形態では、１つの発光部列を構成する発光部の個数が１０個、発光部列の数が４列の場合について説明したが、本発明がこれに限定されるものではない。この場合に、複数の発光部が２次元的に配列され、主走査方向に対応する方向に関して両端に位置する２つの発光部の間隔が、副走査方向に対応する方向に関して両端に位置する２つの発光部の間隔よりも大きいことが好ましい。
【００７５】
また、上記実施形態では、前記発光部間隔ｃが４．４μｍの場合について説明したが、これに限定されるものではない。
【００７６】
また、上記実施形態では、前記発光部間隔ｄが４４．０μｍ、前記発光部間隔Ｘが３０．０μｍの場合について説明したが、これに限定されるものではない。
【００７７】
また、上記実施形態において、一例として図１１〜図１３に示されるように、前記２次元アレイ１００に代えて、２次元アレイ１００の前記複数の半導体層のうちの一部の半導体層の材料を変更した２次元アレイ（２次元アレイ２００とする）を用いても良い。この２次元アレイ２００は、前記２次元アレイ１００における前記スペーサー層１１３をスペーサー層２１３に変更し、前記活性層１１４を活性層２１４に変更し、前記スペーサー層１１５をスペーサー層２１５に変更したものである。
【００７８】
スペーサー層２１３は、ワイドバンドギャップである（Ａｌ０．７Ｇａ０．３）０．５Ｉｎ０．５Ｐからなる層である。
【００７９】
活性層２１４は、図１２に示されるように、圧縮歪が残留する組成であってバンドギャップ波長が７８０ｎｍとなる３層のＧａＩｎＰＡｓ量子井戸層２１４ａと格子整合する４層の引張歪みを有するＧａ０．６Ｉｎ０．４Ｐ障壁層２１４ｂとを有している。
【００８０】
スペーサー層２１５は、ワイドバンドギャップである（Ａｌ０．７Ｇａ０．３）０．５Ｉｎ０．５Ｐからなる層である。
【００８１】
スペーサー層２１３と活性層２１４とスペーサー層２１５とからなる部分は、共振器構造体と呼ばれており、その厚さは１波長光学厚さとなるように設定されている（図１２参照）。
【００８２】
この２次元アレイ２００は、スペーサー層にＡｌＧａＩｎＰ系の材料が用いられているため、上記実施形態における前記２次元アレイ１００に比べて、スペーサー層と活性層とのバンドギャップ差を極めて大きく取ることができる。
【００８３】
図１３には、スペーサー層／量子井戸層の材料がＡｌＧａＡｓ／ＡｌＧａＡｓ系で、波長が７８０ｎｍ帯のＶＣＳＥＬ（以下では、便宜上、「ＶＣＳＥＬ＿Ａ」という）、スペーサー層／量子井戸層の材料がＡｌＧａＩｎＰ／ＧａＩｎＰＡｓ系で、波長が７８０ｎｍ帯のＶＣＳＥＬ（以下では、便宜上、「ＶＣＳＥＬ＿Ｂ」という）、及びスペーサー層／量子井戸層の材料がＡｌＧａＡｓ／ＧａＡｓ系で、波長が８５０ｎｍ帯のＶＣＳＥＬ（以下では、便宜上、「ＶＣＳＥＬ＿Ｃ」という）について、典型的な材料組成でのスペーサー層と量子井戸層のバンドギャップ差、及び障壁層と量子井戸層のバンドギャップ差が示されている。なお、ＶＣＳＥＬ＿Ａは、前記２次元アレイ１００のＶＣＳＥＬ１０１に対応し、ｘ＝０．７のＶＣＳＥＬ＿Ｂは、２次元アレイ２００におけるＶＣＳＥＬ（ＶＣＳＥＬ２０１という）に対応している。
【００８４】
これによれば、ＶＣＳＥＬ＿Ｂは、ＶＣＳＥＬ＿Ａはもとより、ＶＣＳＥＬ＿Ｃよりもバンドギャップ差を大きく取れることが判る。具体的には、ＶＣＳＥＬ＿Ｂでのスペーサー層と量子井戸層とのバンドギャップ差は７６７．３ｍｅＶであり、ＶＣＳＥＬ＿Ａの４６５．９ｍｅＶに比べて極めて大きい。また、障壁層と量子井戸層とのバンドギャップ差も同様に、ＶＣＳＥＬ＿Ｂに優位性があり、更に良好なキャリア閉じ込めが可能となる。
【００８５】
また、ＶＣＳＥＬ２０１は、量子井戸層が圧縮歪を有しているので、ヘビーホールとライトホールのバンド分離により利得の増加が大きくなり、高利得となるため、低閾値で高出力が可能となる。そして、このために、光取り出し側の反射鏡（ここでは上部反射鏡１１７）の反射率低減が可能となり、更なる高出力化を図ることができる。さらに、高利得化が可能であることから、温度上昇による光出力低下を抑えることができ、２次元アレイにおける各ＶＣＳＥＬの間隔をより狭くすることが可能である。
【００８６】
また、ＶＣＳＥＬ２０１は、量子井戸層２１４ａ及び障壁層２１４ｂがいずれも、アルミニウム（Ａｌ）を含まない材料から構成されているので、活性層２１４への酸素の取り込みが低減される。その結果、非発光再結合センターの形成を抑えることができ、更なる長寿命化を図ることが可能となる。
【００８７】
ところで、例えば、いわゆる書込み光学ユニットにＶＣＳＥＬの２次元アレイを用いる場合に、ＶＣＳＥＬの寿命が短いときには、書込み光学ユニットは使い捨てになる。しかしながら、ＶＣＳＥＬ２０１は、前述したように長寿命であるため、２次元アレイ２００を用いた書込み光学ユニットは、再利用が可能となる。従って、資源保護の促進及び環境負荷の低減を図ることができる。なお、このことは、ＶＣＳＥＬの２次元アレイを用いている他の装置にも同様である。
【００８８】
なお、上記実施形態では、各発光部から射出されるレーザ光の波長が７８０ｎｍ帯の場合について説明したが、これに限らず、感光体ドラム９０１の感度特性に応じた波長であれば良い。なお、この場合には、各発光部を構成する材料の少なくとも一部、あるいは各発光部の構成の少なくとも一部が、発振波長に応じて変更される。
【００８９】
なお、上記実施形態では、画像形成装置としてレーザプリンタ５００の場合について説明したが、これに限定されるものではない。要するに、光走査装置９００を備えた画像形成装置であれば、結果として高品質の画像を高速で形成することが可能となる。
【００９０】
また、多色のカラー画像を形成する画像形成装置であっても、カラー画像に対応した光走査装置を用いることにより、高品質の画像を高速で形成することが可能となる。
【００９１】
この場合に、一例として図１４に示されるように、複数の感光体ドラムを備えるタンデムカラー機であっても良い。このタンデムカラー機は、ブラック（Ｋ）用の感光体ドラムＫ１、帯電器Ｋ２、現像器Ｋ４、クリーニング手段Ｋ５、及び転写用帯電手段Ｋ６と、シアン（Ｃ）用の感光体ドラムＣ１、帯電器Ｃ２、現像器Ｃ４、クリーニング手段Ｃ５、及び転写用帯電手段Ｃ６と、マゼンダ（Ｍ）用の感光体ドラムＭ１、帯電器Ｍ２、現像器Ｍ４、クリーニング手段Ｍ５、及び転写用帯電手段Ｍ６と、イエロー（Ｙ）用の感光体ドラムＹ１、帯電器Ｙ２、現像器Ｙ４、クリーニング手段Ｙ５、及び転写用帯電手段Ｙ６と、光走査装置１０１０と、転写ベルト８０と、定着手段３０などを備えている。
【００９２】
光走査装置１０１０は、一例として図１５に示されるように、２個の光源ユニット（２００ａ、２００ｂ）、２個の開口板（２０１ａ、２０１ｂ）、２個の光束分割プリズム（２０２ａ、２０２ｂ）、４個のシリンドリカルレンズ（２０４ａ、２０４ｂ、２０４ｃ、２０４ｄ）、ポリゴンミラー１０４、４個のｆθレンズ（１０５ａ、１０５ｂ、１０５ｃ、１０５ｄ）、８個の折り返しミラー（１０６ａ、１０６ｂ、１０６ｃ、１０６ｄ、１０８ａ、１０８ｂ、１０８ｃ、１０８ｄ）、４個のトロイダルレンズ（１０７ａ、１０７ｂ、１０７ｃ、１０７ｄ）、２個の収束レンズ（１５６ａ、１５６ｂ）、及び２個の受光素子（１５７ａ、１５７ｂ）などを備えている。
【００９３】
各光源ユニットのそれぞれは、上記２次元アレイ１００あるいは２次元アレイ２００を有する光源、及びカップリングレンズを備えている。
【００９４】
開口板２０１ａは、開口部を有し、光源ユニット２００ａからの光のビーム径を規定する。開口板２０１ｂは、開口部を有し、光源ユニット２００ｂからの光のビーム径を規定する。各開口板はいずれも、開口部の周囲で反射された光をモニタ用として利用するため、対応する光源ユニットに対して傾斜して配置されている。また、これにより、開口部の周囲で反射された光が光源ユニットに戻るのを防止できる。
【００９５】
光束分割プリズム２０２ａは、開口板２０１ａの開口部を通過した光をＺ軸方向に所定間隔をもって互いに平行な２つの光に分割する。光束分割プリズム２０２ｂは、開口板２０１ｂの開口部を通過した光をＺ軸方向に所定間隔をもって互いに平行な２つの光に分割する。
【００９６】
シリンダレンズ２０４ａは、光束分割プリズム２０２ａからの２つの光のうち−Ｚ側の光（以下、便宜上「ブラック光」ともいう）の光路上に配置され、該ブラック光をポリゴンミラー１０４の偏向反射面近傍で副走査方向に関して収束する。
【００９７】
シリンダレンズ２０４ｂは、光束分割プリズム２０２ａからの２つの光のうち＋Ｚ側の光（以下、便宜上「シアン光」ともいう）の光路上に配置され、該シアン光をポリゴンミラー１０４の偏向反射面近傍で副走査方向に関して収束する。
【００９８】
シリンダレンズ２０４ｃは、光束分割プリズム２０２ｂからの２つの光のうち＋Ｚ側の光（以下、便宜上「マゼンダ光」ともいう）の光路上に配置され、該マゼンダ光をポリゴンミラー１０４の偏向反射面近傍で副走査方向に関して収束する。
【００９９】
シリンダレンズ２０４ｄは、光束分割プリズム２０２ｂからの２つの光のうち−Ｚ側の光（以下、便宜上「イエロー光」ともいう）の光路上に配置され、該イエロー光をポリゴンミラー１０４の偏向反射面近傍で副走査方向に関して収束する。
【０１００】
ポリゴンミラー１０４は、２段構造の４面鏡を有し、各鏡がそれぞれ偏向反射面となる。そして、１段目（下段）の偏向反射面ではシリンダレンズ２０４ａからの光及びシリンダレンズ２０４ｄからの光がそれぞれ偏向され、２段目（上段）の偏向反射面ではシリンダレンズ２０４ｂからの光及びシリンダレンズ２０４ｃからの光がそれぞれ偏向されるように配置されている。また、１段目の偏向反射面及び２段目の偏向反射面は、互いに位相が４５°ずれて回転し、光の走査は１段目と２段目とで交互に行われる。
【０１０１】
ｆθレンズ１０５ａ及びｆθレンズ１０５ｂは、ポリゴンミラー１０４の−Ｘ側に配置され、ｆθレンズ１０５ｃ及びｆθレンズ１０５ｄは、ポリゴンミラー１０４の＋Ｘ側に配置されている。
【０１０２】
そして、ｆθレンズ１０５ａとｆθレンズ１０５ｂはＺ軸方向に積層され、ｆθレンズ１０５ａは１段目の偏向反射面に対向し、ｆθレンズ１０５ｂは２段目の偏向反射面に対向している。また、ｆθレンズ１０５ｃとｆθレンズ１０５ｄはＺ軸方向に積層され、ｆθレンズ１０５ｃは２段目の偏向反射面に対向し、ｆθレンズ１０５ｄは１段目の偏向反射面に対向している。
【０１０３】
そこで、ポリゴンミラー１０４で偏向されたブラック光はｆθレンズ１０５ａに入射し、イエロー光はｆθレンズ１０５ｄに入射し、たシアン光はｆθレンズ１０５ｂに入射し、マゼンダ光はｆθレンズ１０５ｃに入射する。
【０１０４】
この光走査装置１０１０では、一例として図１６（Ａ）に示されるように、ポリゴンミラー１０４からｆθレンズ１０５ａあるいはｆθレンズ１０５ｂに向かう光束は、副走査方向に関して、ポリゴンミラー１０４の偏向反射面の法線方向に対して＋Ｚ側に傾斜し、ポリゴンミラー１０４からｆθレンズ１０５ｃあるいはｆθレンズ１０５ｄに向かう光束は、副走査方向に関して、ポリゴンミラー１０４の偏向反射面の法線方向に対して−Ｚ側に傾斜している。仮に、一例として図１６（Ｂ）に示されるように、ポリゴンミラー１０４からｆθレンズ１０５ｃあるいはｆθレンズ１０５ｄに向かう光束が、副走査方向に関して、ポリゴンミラー１０４の偏向反射面の法線方向に対して＋Ｚ側に傾斜している場合や、一例として図１６（Ｃ）に示されるように、ポリゴンミラー１０４から各ｆθレンズに向かうすべての光束が、副走査方向に関して、ポリゴンミラー１０４の偏向反射面の法線方向と一致している場合には、一例として図１６（Ｄ）に示されるように、ポリゴンミラー１０４を挟んで配置された一方のｆθレンズからの反射光がフレア光として他方のｆθレンズに入射するおそれがある。
【０１０５】
ｆθレンズ１０５ａを透過したブラック光は、折り返しミラー１０６ａ、トロイダルレンズ１０７ａ、及び折返しミラー１０８ａを介して、感光体ドラムＫ１上にスポット状に結像する。
【０１０６】
ｆθレンズ１０５ｂを透過したシアン光は、折り返しミラー１０６ｂ、トロイダルレンズ１０７ｂ、及び折返しミラー１０８ｂを介して、感光体ドラムＣ１上にスポット状に結像する。
【０１０７】
ｆθレンズ１０５ｃを透過したマゼンダ光は、折り返しミラー１０６ｃ、トロイダルレンズ１０７ｃ、及び折返しミラー１０８ｃを介して、感光体ドラムＭ１上にスポット状に結像する。
【０１０８】
ｆθレンズ１０５ｄを透過したイエロー光は、折り返しミラー１０６ｄ、トロイダルレンズ１０７ｄ、及び折返しミラー１０８ｄを介して、感光体ドラムＹ１上にスポット状に結像する。
【０１０９】
また、この光走査装置１０１０では、感光体ドラムＫ１に向かう光束の光路を曲げる折り返しミラーの枚数、感光体ドラムＣ１に向かう光束の光路を曲げる折り返しミラーの枚数、感光体ドラムＭ１に向かう光束の光路を曲げる折り返しミラーの枚数、及び感光体ドラムＹ１に向かう光束の光路を曲げる折り返しミラーの枚数は、いずれも２枚である。すなわち、各感光体ドラムにそれぞれ対応して設けられた折り返しミラーの枚数の差は偶数である。これにより、一例として図１７（Ａ）に示されるように、各感光体ドラムにおける走査線の曲がり方向が同一方向となり、色ずれを容易に低減することができる。仮に、感光体ドラムＹ１に対応して設けられた折り返しミラーの枚数と他の３つの感光体ドラムに対応して設けられた折り返しミラーの枚数との差が１枚の場合には、一例として図１７（Ｂ）に示されるように、各感光体ドラムにおける走査線の曲がり方向が反対となり、色ずれが大きくなるおそれがある。
【０１１０】
収束レンズ１５６ａは、開口板２０１ａで反射された光の光路上に配置され、開口板２０１ａで反射された光を集光する。収束レンズ１５６ｂは、開口板２０１ｂで反射された光の光路上に配置され、開口板２０１ｂで反射された光を集光する。
【０１１１】
受光素子１５７ａは、収束レンズ１５６ａを介した光の集光位置に配置され、収束レンズ１５６ａを介した光を受光する。受光素子１５７ｂは、収束レンズ１５６ｂを介した光の集光位置に配置され、収束レンズ１５６ｂを介した光を受光する。
【０１１２】
各受光素子は、それぞれ受光量に応じた信号（光電変換信号）を出力する。
【０１１３】
以上の説明から明らかなように、この光走査装置１０１０では、各カップリングレンズと各開口板と各シリンドリカルレンズ１７とによって第１の光学系が構成されている。
【０１１４】
また、各ｆθレンズと各トロイダルレンズと各折り返しミラーとによって第２の光学系が構成されている。
【０１１５】
また、各開口板と各収束レンズと各受光素子とによってモニタ装置が構成されている。
【０１１６】
なお、像担持体として銀塩フィルムを用いた画像形成装置であっても良い。この場合には、光走査により銀塩フィルム上に潜像が形成され、この潜像は通常の銀塩写真プロセスにおける現像処理と同等の処理で可視化することができる。そして、通常の銀塩写真プロセスにおける焼付け処理と同等の処理で印画紙に転写することができる。このような画像形成装置は光製版装置や、ＣＴスキャン画像等を描画する光描画装置として実施できる。
【０１１７】
また、像担持体としてビームスポットの熱エネルギにより発色する発色媒体（ポジの印画紙）を用いた画像形成装置であっても良い。この場合には、光走査により可視画像を直接、像担持体に形成することができる。
【産業上の利用可能性】
【０１１８】
以上説明したように、本発明の光走査装置によれば、光束により被走査面上を安定して走査するのに適している。また、本発明の画像形成装置によれば、高品質の画像を高速で形成するのに適している。
【図面の簡単な説明】
【０１１９】
【図１】本発明の一実施形態に係るレーザプリンタの概略構成を説明するための図である。
【図２】図１における光走査装置を示す概略図である。
【図３】図２における光源に含まれるＶＣＳＥＬの２次元アレイを説明するための図である。
【図４】図３の２次元アレイにおける各ＶＣＳＥＬの構造を説明するための図である。
【図５】図４のＶＣＳＥＬの一部を拡大した図である。
【図６】図２の光走査装置における各光学素子の位置を説明するための図である。
【図７】副走査方向に関して、ポリゴンミラーに入射する光束の入射方向と、ポリゴンミラーの偏向反射面の法線方向との関係を説明するための図である。
【図８】図８（Ａ）及び図８（Ｂ）は、それぞれポリゴンミラーに入射する光束の入射方向とポリゴンミラーからの戻り光との関係を説明するための図である。
【図９】副走査方向に関して、ポリゴンミラーから偏向器側走査レンズに向かう光束を説明するための図である。
【図１０】比較対象の２次元アレイを説明するための図である。
【図１１】ＶＣＳＥＬの変形例を説明するための図である。
【図１２】図１１のＶＣＳＥＬの一部を拡大した図である。
【図１３】図１１のＶＣＳＥＬの特性を説明するための図である。
【図１４】タンデムカラー機の概略構成を説明するための図である。
【図１５】図１４における光走査装置を示す概略図である。
【図１６】図１６（Ａ）〜図１６（Ｄ）は、それぞれポリゴンミラーから各ｆθレンズに向かう光束を説明するための図である。
【図１７】図１７（Ａ）及び図１７（Ｂ）は、それぞれ走査線の曲がりを説明するための図である。
【符号の説明】
【０１２０】
１１ａ…走査レンズ（第２の光学系の一部）、１１ｂ…走査レンズ（第２の光学系の一部）、１３…ポリゴンミラー（偏向器）、１４…光源、１５…カップリングレンズ（第１の光学系の一部）、１６…開口板（第１の光学系の一部）、１７…シリンドリカルレンズ（第１の光学系の一部）、１８…反射ミラー（第１の光学系の一部）、２３…ハーフミラー（モニタ装置の一部）、２４…結像レンズ（モニタ装置の一部）、２５…フォトダイオード（モニタ装置の一部）、１０１…ＶＣＳＥＬ（面発光レーザ）、１０４…ポリゴンミラー（偏向器）、１０５ａ，１０５ｂ，１０５ｃ，１０５ｄ…ｆθレンズ（第２の光学系の一部）、１０６ａ，１０６ｂ，１０６ｃ，１０６ｄ…折り返しミラー（第２の光学系の一部）、１０７ａ，１０６７，１０７ｃ，１０７ｄ…トロイダルレンズ（第２の光学系の一部）、１０８ａ，１０８ｂ，１０８ｃ，１０８ｄ…折り返しミラー（第２の光学系の一部）、１５６ａ，１５６ｂ…収束レンズ（モニタ装置の一部）、１５７ａ，１５７ｂ…受光素子（モニタ装置の一部）、２０１…ＶＣＳＥＬ（面発光レーザ）、２０１ａ，２０１ｂ…開口板（第１の光学系の一部）、２０２ａ，２０２ｂ…光束分割プリズム（第１の光学系の一部）、２０４ａ，２０４ｂ，２０４ｃ，２０４ｄ…シリンドリカルレンズ（第１の光学系の一部）、５００…レーザプリンタ（画像形成装置）、９００…光走査装置、９０１…感光体ドラム（像担持体）、１０１０…光走査装置、Ｋ１，Ｃ１，Ｍ１，Ｙ１…感光体ドラム（像担持体）。
【図１】
2008185959.tif 000003
【図２】
2008185959.tif 000004
【図３】
2008185959.tif 000005
【図４】
2008185959.tif 000006
【図５】
2008185959.tif 000007
【図６】
2008185959.tif 000008
【図７】
2008185959.tif 000009
【図８】
2008185959.tif 000010
【図９】
2008185959.tif 000011
【図１０】
2008185959.tif 000012
【図１１】
2008185959.tif 000013
【図１２】
2008185959.tif 000014
【図１３】
2008185959.tif 000015
【図１４】
2008185959.tif 000016
【図１５】
2008185959.tif 000017
【図１６】
2008185959.tif 000018
【図１７】
2008185959.tif 000019